(57)【要約】【課題】簡単かつ確実に画像データを管理することができる記録媒体の提供。【解決手段】記録媒体には、管理の対象となる画像データに加えて、画像データをバックアップするためのバックアッププログラムと、必要に応じて、バックアッププログラムをインストールするためのインストールプログラムとがセットになって記録されており、ユーザがその記録媒体をコンピュータ機器のスロットに装填すれば、自動的に記録媒体に記録された画像データと必要に応じてバックアッププログラムとがコンピュータ機器に付属されているハードディスクなどの記録手段にバックアップされるため、特別なソフトウェアを用意することなく、画像データを簡単かつ確実に管理することができる。【選択図】図６
2005332379.tif 000002
【特許請求の範囲】
【請求項１】
画像データと、
コンピュータを、前記画像データを前記コンピュータに付属されている記録手段に記録する手段として機能させるバックアッププログラムと、が少なくとも記録されていることを特徴とする記録媒体。
【請求項２】
前記バックアッププログラムは、
コンピュータを、前記記録媒体が前記コンピュータに装填されると、前記コンピュータの表示手段にメニュー画面を表示させる手段として機能させるプログラムと、
コンピュータを、前記画像データを前記コンピュータに付属されている前記記録手段に記録する手段として機能させるプログラムと、で構成されることを特徴とする請求項１記載の記録媒体。
【請求項３】
前記バックアッププログラムは、
ユーザの操作によりバックアップが指示された際に、コンピュータを、前記画像データを前記コンピュータに付属されている前記記録手段に記録する手段として機能させることを特徴とする請求項１記載の記録媒体。
【請求項４】
前記バックアッププログラムは、
ユーザの操作によりバックアップが指示された際に、前記コンピュータに予めバックアッププログラムがインストールされている場合は、コンピュータを、前記コンピュータにインストールされている前記バックアッププログラムを動作させる手段として機能させることを特徴とする請求項１記載の記録媒体。
【請求項５】
前記バックアッププログラムは、
ユーザの操作によりバックアップが指示された際に、前記コンピュータにバックアッププログラムが常駐している場合は、コンピュータを、前記コンピュータに常駐している前記バックアッププログラムを動作させる手段として機能させることを特徴とする請求項１記載の記録媒体。
【請求項６】
画像データと、
コンピュータを、前記画像データを前記コンピュータに付属されている記録手段に記録する手段として機能させるバックアッププログラムと、
コンピュータを、前記バックアッププログラムを前記コンピュータにインストールする手段として機能させるインストールプログラムと、が少なくとも記録されていることを特徴とする記録媒体。
【請求項７】
前記インストールプログラムは、
コンピュータを、前記バックアッププログラムを前記コンピュータに常駐するようにインストールする手段として機能させることを特徴とする請求項６記載の記録媒体。
【請求項８】
前記バックアッププログラムは、
コンピュータを、前記画像データを前記コンピュータに付属されている前記記録手段に記録する際に、前記コンピュータの表示手段に前記画像データに基づく画像を表示させる手段として機能させることを特徴とする請求項１乃至７のいずれか一に記載の記録媒体。
【請求項９】
前記記録媒体の論理アドレス領域外に、該記録媒体を識別するための特定の情報が記録されており、前記特定の情報に基づいて、前記バックアッププログラムが実行されることを特徴とする請求項１乃至８のいずれか一に記載の記録媒体。
【発明の詳細な説明】
【技術分野】
【０００１】
本発明は、入力されたデータを所定の記録領域に記録するための制御を行うバックアッププログラムが記録された記録媒体に関する。
【背景技術】
【０００２】
近年、写真に関連する様々なサービスが提供されるようになってきている。例えば、ユーザがデジタルカメラで写真を撮影し、デジタルカメラやデジタルカメラ用メディアをミニラボ等の写真店に持ち込み、店舗内に設けられた無人端末（キオスク）や店頭端末などを用いて、デジタルカメラやメディアに記録された画像データをＣＤ−Ｒ、ＤＶＤ−Ｒなどの記録媒体に書き込むことができる（例えば、特開平５−１８２３７３号公報等）。
【０００３】
また、ユーザがフィルムカメラで写真を撮影し、撮影済みのフィルムをミニラボ等の写真店に持ち込むと、写真店ではフィルムを現像した後、スキャナ等の読み取り装置を用いて画像データを読み取り、ＣＤ−Ｒ、ＤＶＤ−Ｒなどの記録媒体に書き込んでユーザに提供するサービスも行われている。
【０００４】
また、デジタルカメラやメディア、フィルムから読み取った画像データをＤＶＤプレーヤやＤＶＤレコーダ、ゲーム機などの画像再生機器で再生可能なファイル形式の画像データに変換し、元の画像データと変換した画像データとをＣＤ−Ｒ、ＤＶＤ−Ｒなどの記録媒体に書き込むサービスも行われている。
【０００５】
【特許文献１】特開平５−１８２３７３号公報（第４−６頁、第３図）
【発明の開示】
【発明が解決しようとする課題】
【０００６】
上記サービスを利用することにより、デジタルカメラやメディア等に記録された画像データや画像再生機器用に変換された画像データなどが記録された記録媒体を入手することができ、更に記録媒体に記録された画像データをコンピュータ機器のハードディスクなどにバックアップすることにより画像データを保管、管理することができるが、画像データをバックアップするためには、従来は所定のプログラム（例えば、ウィンドウズ（登録商標）のエクスプローラなど）を用いてユーザ自らが記録媒体の記録構造（フォルダ構成やフォルダ名称など）を調べ、この記録構造を参照して所望の画像データを特定しなければならず、操作が煩雑になるという問題があった。
【０００７】
そこで専用のバックアップソフトウェアを用意することが考えられるが、このバックアップソフトウェアは常にユーザの手許にあるという補償はない。さらに通常、これら専用のバックアップソフトウェアはＣＤ−Ｒ等の記録媒体で供給されるが、その場合、バックアップソフトウェアをインストールするための記録媒体と画像データが記録されている記録媒体とを入れ替えるという手間が発生してしまう。
【０００８】
本発明は、上記問題点に鑑みてなされたものであって、その主たる目的は、簡単かつ確実に画像データを管理することができるように画像データを所定の記録領域に記録するための制御を行うバックアッププログラムが記録された記録媒体を提供することにある。
【課題を解決するための手段】
【０００９】
上記目的を達成するため、本発明の記録媒体は、画像データと、コンピュータを、前記画像データを前記コンピュータに付属されている記録手段に記録する手段として機能させるバックアッププログラムと、が少なくとも記録されているものである。
【００１０】
本発明においては、前記バックアッププログラムは、コンピュータを、前記記録媒体が前記コンピュータに装填されると、前記コンピュータの表示手段にメニュー画面を表示させる手段として機能させるプログラムと、コンピュータを、前記画像データを前記コンピュータに付属されている前記記録手段に記録する手段として機能させるプログラムと、で構成されるものとすることができる。
【００１１】
また、本発明においては、前記バックアッププログラムは、ユーザの操作によりバックアップが指示された際に、コンピュータを、前記画像データを前記コンピュータに付属されている前記記録手段に記録する手段として機能させる構成とすることができる。
【００１２】
また、本発明においては、前記バックアッププログラムは、ユーザの操作によりバックアップが指示された際に、前記コンピュータに予めバックアッププログラムがインストールされている場合は、コンピュータを、前記コンピュータにインストールされている前記バックアッププログラムを動作させる手段として機能させる構成とすることもできる。
【００１３】
また、本発明においては、前記バックアッププログラムは、ユーザの操作によりバックアップが指示された際に、前記コンピュータにバックアッププログラムが常駐している場合は、コンピュータを、前記コンピュータに常駐している前記バックアッププログラムを動作させる手段として機能させる構成とすることもできる。
【００１４】
また、本発明の記録媒体は、画像データと、コンピュータを、前記画像データを前記コンピュータに付属されている記録手段に記録する手段として機能させるバックアッププログラムと、コンピュータを、前記バックアッププログラムを前記コンピュータにインストールする手段として機能させるインストールプログラムと、が少なくとも記録されているものである。
【００１５】
本発明においては、前記インストールプログラムは、コンピュータを、前記バックアッププログラムを前記コンピュータに常駐するようにインストールする手段として機能させる構成とすることができる。
【００１６】
また、本発明においては、前記バックアッププログラムは、コンピュータを、前記画像データを前記コンピュータに付属されている前記記録手段に記録する際に、前記コンピュータの表示手段に前記画像データに基づく画像を表示させる手段として機能させる構成とすることもできる。
【００１７】
また、本発明においては、前記記録媒体の論理アドレス領域外に、該記録媒体を識別するための特定の情報が記録されており、前記特定の情報に基づいて、前記バックアッププログラムが実行される構成とすることもできる。
【００１８】
このように、本発明の構成によれば、記録媒体には、管理の対象となる画像データとバックアッププログラムとがセットになって記録されているため、ユーザは記録媒体をコンピュータ機器などに装填するだけで、該画像データはコンピュータ機器に付属されているハードディスクなどの記録手段に自動的に記録されるため、特別なソフトウェアを用意しなくても、簡単かつ確実に画像データを管理することができる。
【発明の効果】
【００１９】
本発明のバックアッププログラムが記録された記録媒体によれば、特別なソフトウェアを用意しなくても、画像データを簡単かつ確実に管理することが可能となる。
【００２０】
その理由は、記録媒体には、管理の対象となる画像データに加えて、画像データをバックアップするためのバックアッププログラムがセットになって記録されているため、ユーザは記録媒体をコンピュータ機器などに装填するだけで記録媒体に記録された画像データがコンピュータ機器に付属されているハードディスクなどの記録手段に自動的に記録されるからである。
【００２１】
また、記録媒体に、管理の対象となる画像データに加えて、画像データをバックアップするためのバックアッププログラムと、バックアッププログラムをコンピュータ機器にインストールするためのインストールプログラムとがセットになって記録されているため、ユーザは記録媒体をコンピュータ機器などに装填するだけで、記録媒体に記録された画像データとバックアッププログラムとがコンピュータ機器に付属されているハードディスクなどの記録手段に自動的に記録されるからである。
【発明を実施するための最良の形態】
【００２２】
本発明に係る記録媒体は、その好ましい一実施の形態において、管理対象となる画像データと、コンピュータを、該画像データをバックアップするためのバックアッププログラムと必要に応じてバックアッププログラムをインストールするためのインストールプログラムとが記録されたものであり、この記録媒体をユーザに提供することにより、ユーザは記録媒体をコンピュータ機器のスロットに装填すれば、自動的に記録媒体に記録された画像データと必要に応じてバックアッププログラムとがコンピュータ機器に付属されているハードディスクなどの記録手段に記録されるため、画像データを簡単かつ確実に管理することができる。
【実施例】
【００２３】
上記実施形態について詳細に説明すべく、本発明の一実施例に係るバックアッププログラムが記録された記録媒体について、図１乃至図１４を参照して説明する。図１は、本実施例に係る記録装置及びコンピュータ機器の構成を模式的に示す図であり、図２乃至図５は、記録装置の他の構成を模式的に示す図である。また、図６は、本実施例の記録媒体の論理構成を示す図であり、図７は、コンピュータ機器のハードディスクの論理構成を示す図である。また、図８は、記録装置を用いた記録媒体の作成手順を示すフローチャート図であり、図９は、コンピュータ機器を用いた画像データの記録手順を示すフローチャート図である。また、図１０及び図１１は、データの記録構造を示す図であり、図１２は、記録媒体におけるデータの記録領域を示す図である。また、図１３及び図１４は、コンピュータ機器の表示手段に表示される画面の一例を示す図である。なお、本明細書及び特許請求の範囲における論理アドレス領域とは、ユーザのデータ（プログラム）が記録される領域であり、ユーザデータの配置情報が記録されるプログラムメモリ領域、リードイン・ＴＯＣ領域やリードアウト領域などの情報領域、ディスクの応用コードやレーザ記録パワーの推奨値、その他の情報が記録される案内溝変調（ＡＴＩＰ：Absolute Time In Pre-groove）情報の領域は含まず、また、論理アドレス領域外とは上記論理アドレス領域以外の領域を指すものとする。
【００２４】
図１に示すように、本実施例のシステムは、記録媒体９を作成する記録装置１と、該記録媒体９を利用するコンピュータ機器１０とからなり、記録装置１は、スマートメディア、コンパクトフラッシュ（登録商標）、メモリースティック（登録商標）、ＳＤメモリーカード、マルチメディアカードなどの記録媒体（以下、メディア８と呼ぶ。）を装填するメディア装填部２、デジタルカメラ７（デジタルスチルカメラ及びデジタルムービーカメラの双方を含む。）やカメラ付き携帯電話機７ａ等の撮影機器を有線又は無線、赤外線等によって接続するための機器接続部３、インターネット等の通信ネットワーク１５を介してサーバ１６から画像データなどをダウンロードするネットワーク接続部等のデータ入力手段と、メディア８やデジタルカメラ７から読み取った、又はサーバ１６からダウンロードした画像データやＤＶＤプレーヤやＤＶＤレコーダ、ゲーム機などで再生可能な形式に変換された画像データと後述するバックアッププログラムと必要に応じてインストールプログラムとが記録されるＣＤ−Ｒ／ＲＷやＤＶＤ±Ｒ／ＲＷ、ＤＶＤ−ＲＡＭ、ＨＤ−ＤＶＤ、Ｂｌｕ−ｒａｙディスク等の記録媒体９を装填する記録媒体装填部４と、ボタン、キーボード、マウス等の操作手段６及びＬＣＤ、ＣＲＴ等の表示手段５（図では操作手段６と表示手段５とを兼ね備えるタッチパネルを示している。）とを備えている。
【００２５】
なお、図１では記録装置１として写真店やコンビニエンスストアなどの店舗に設置される無人端末（キオスク）を示しているが、記録装置１の形態は任意であり、例えば、図２に示すようにパーソナルコンピュータなどのコンピュータ機器としたり、図３に示すように専用のセットトップボックスとしたり、図４に示すようにポータブルライターなどとしたり、図５に示すように、演算処理機能を備えるＨＤＤレコーダやＤＶＤレコーダ、ゲーム機などとすることもできる。
【００２６】
また、記録媒体９の論理構成は図６のようになり、該記録媒体９がコンピュータ機器に装填されたことに応じてプログラムを機能させる自動実行定義ファイルと、コンピュータを、表示手段にメニュー画面を表示させる処理、該記録媒体９に記録されている画像データをコンピュータ機器１０のハードディスクなどの記録手段に転送する処理、その他のユーザインターフェース処理などを実行させるバックアッププログラムと、必要に応じて、該バックアッププログラムをコンピュータ機器１０にインストールするためのインストールプログラムと、画像データと、必要に応じて、論理アドレス領域外（ＣＰＵがＯＳを介さずに直接データアクセスする領域）に記録された該記録媒体９を識別するための特定の識別情報とで構成される。
【００２７】
また、コンピュータ機器１０のハードディスクの論理構成は図７のようになり、後述する手順に従って記録媒体９から転送された画像データと、必要に応じて、インストーラーによってインストールされたバックアッププログラムと、ＯＳとで構成される。なお、バックアッププログラム（特に、表示手段にメニュー画面を表示させる処理を実行するメニュープログラム）はコンピュータ機器１０に常駐するようにインストールされていることが好ましい。
【００２８】
上記構成の記録装置１を用いて記録媒体９を作成する手順について、図８のフローチャート図を参照して説明する。
【００２９】
まず、ステップＳ１０１で、記録装置１のメディア装填部２にメディア８を装填、又は、機器接続部３にデジタルカメラ７やカメラ付き携帯電話機７ａを接続、又はネットワーク接続部を通信ネットワーク１５に接続すると共に、記録媒体装填部４に記録媒体９を装填する。なお、記録媒体９はデータが記録されていないものを用いてもよいし、管理プログラムやスライドショープログラムなどの他のプログラム、音楽データなどが予め記録された記録媒体をユーザが購入する構成としてもよい。次に、ステップＳ１０２で、デジタルカメラ７やメディア８に記録された画像データ（静止画像データや動画データ、画像情報を含むデータなどを総称して画像データと呼ぶ。）やサーバ１６に記録された画像データを読み取り、必要に応じて、表示手段５や操作手段６を用いて記録媒体９に記録する画像データを選択する。
【００３０】
次に、ステップＳ１０３で、必要に応じて、画像データを音楽付きスライドショーとして再生するためのＢＧＭとして利用する音楽データをメディア８やサーバ１６、記録装置１の記憶手段などから読み取る。なお、音楽データはユーザが選択してもよいし、予めデフォルトとして設定された音楽データを用いてもよい。
【００３１】
次に、ステップＳ１０４で、必要に応じて、読み取った画像データのデータサイズを縮小したサムネイル画像データやスクリーンネイル画像データなどの縮小画像データを作成する。この縮小画像データは入力した画像データよりもデータサイズが小さいものであればよく、例えば、画素数を減縮した画像データや色数、色再現域を減縮した画像データなどとすることができる。
【００３２】
次に、ステップＳ１０５で、必要に応じて、読み取った画像データをＤＶＤプレーヤやＤＶＤレコーダ、ゲーム機等の画像再生機器で読み取り可能な動画データ（Ｖｉｄｅｏ−ＣＤ形式、ＤＶＤ−Ｖｉｄｅｏ形式、ＨＤＴＶ形式などのデータ）に変換する。なお、画像データから動画データを作成する方法は特に限定されないが、例えば、静止画像データをスライドショーのように表示する場合は、静止画像データにスライド表示の時間分の差分０のデータを付加して動画データを生成したり、静止画像データにスライドショープログラムで設定されたスライド効果に基づく差分データを付加して動画データを生成すればよい。
【００３３】
次に、入力された画像データや変換されたデータを記録媒体９に記録するが、その際、任意の記録媒体９に対してデータの記録ができるようにしてもよいし、正規に作成された記録媒体９に対してのみデータの記録を許可するようにしてもよい。後者の場合は、例えば、ステップＳ１０６で、予め定められた位置情報（例えば、物理アドレス）を参照して、該位置に特定の識別情報が書き込まれているか否かを判断し、識別情報が書き込まれている場合にのみデータの記録を開始する構成とすることができる。
【００３４】
その場合、上記識別情報は不正なデータの記録を防止するために設けるものであるため、識別情報の記録場所や中身が容易に知られてしまうと識別情報自体もコピーされてしまい、不正なデータの記録を防止することができなくなってしまうため、識別情報の少なくとも一部はコンピュータのＯＳではアクセスできない領域（すなわち、論理アドレス領域外）、具体的にはディスク型記録媒体の論理アドレス領域の内側の領域に書き込まれていることが好ましい。
【００３５】
なお、識別情報の具体的な構成は任意であり、少なくとも記録媒体識別手段２１が識別できる情報であればよいが、上記したように記録媒体９の論理アドレス領域外にはメーカの名称が予め記録されていることから、このメーカの名称と記録媒体９に対して付与される番号とを識別情報として用いることにより、記録媒体９が正規に作成されたものか否かを簡単かつ確実に識別することができる。
【００３６】
そして、識別情報が書き込まれている記録媒体９にデータを記録するが、画像再生機器ではデータを読み込むことができる記録領域が限定されるため、ステップＳ１０７で、作成された動画データや関連付けファイル等（以下、これらを総称して画像再生機器用データ群と呼ぶ。）を予め設けた書き込み用の所定のフォルダに転送した後、該フォルダから画像再生機器用データ群を読み出して、記録媒体９の論理アドレス領域の内側に記録する。その後、ステップＳ１０８で、必要に応じて、コンピュータ機器用のデータの記録を行う前に、画像再生機器で使用可能なデータの領域を区分するために一旦セッションをクローズする。
【００３７】
次に、ステップＳ１０９で、予め記録されているバックアッププログラム（バックアッププログラムの動作については後述する。）を読み出し、管理対象となる画像データとバックアッププログラムと設定ファイルと必要に応じて音楽データなど（以下、これらを総称してコンピュータ機器用データ群と呼ぶ。）を予め設けた書き込み用の所定のフォルダに転送した後、該フォルダからコンピュータ機器用データ群を読み出して、記録媒体９に先に記録された画像再生機器用データ群の外側に記録して一連の書き込み処理を終了する。
【００３８】
上記手順で作成された記録媒体９には図１２に示すように各種情報が記録され、ディスク型記録媒体９の最も内側の論理アドレス領域外には、必要に応じて所定の形式（好ましくはファイル形式でないデータ形式）の識別情報が記録され、その外側の論理アドレス領域の内側には、必要に応じて画像再生機器用データ群が記録され、更にその外側には本発明の特徴である画像データとバックアッププログラムと必要に応じてバックアッププログラムをインストールするためのインストールプログラムとを含むコンピュータ機器データ群が記録される。
【００３９】
また、上記手順で作成された記録媒体９の記録構造は、例えば、図１０に示すようになり、コンピュータ機器用データ群は、”PS_Roll”フォルダ内の画像データ、サムネイル画像データ、スクリーンネイル画像データなどの画像データ群、”APPL”フォルダ内のバックアッププログラム、スライドショープログラム、スライドショーの設定ファイル、自動起動ファイル（Autorun.inf）、必要に応じて”Filling box installer”フォルダ内の音楽データ、操作画面などを構成するデータ及びバックアッププログラムをインストールするためのプログラム（setup.exe）などの他のデータ群とで構成され、画像再生機器用データ群は、Ｖｉｄｅｏ−ＣＤ形式のデータの場合は、図１０（ａ）に示すように、”VCD”フォルダ内の画像データをＶｉｄｅｏ−ＣＤ形式データとして関連付けるファイル、”SEGMENT”フォルダ内のＴＶ画面に表示する画像データ、”MPEGAV”フォルダ内の動画データ、”DAT”フォルダ内のＴＶ画面に静止画像データを表示するためのアプリケーションなどで構成され、ＤＶＤ−Ｖｉｄｅｏ形式のデータの場合は、図１０（ｂ）に示すように、”VIDEO_TS”フォルダ内の、チャプター位置情報が記述されたVIDEO_TS.IFOとそのバックアップファイルであるVIDEO_TS.BUPとタイトル選択メニューのためのVIDEO_TS.VOBとで構成されるビデオマネージャ（ＶＭＧ）と、チャプター位置情報が記述されたVTS_**_0.IFOとそのバックアップファイルであるVTS_**_0.BUPとＶＴＳの各タイトルの動画データであるVTS_**_*.VOBなどとで構成されるビデオタイトルセット（ＶＴＳ）などで構成される。
【００４０】
なお、画像データ群の記録構造は任意であるが、画像データ群をコンピュータ機器１０などにバックアップした場合における管理を容易にするために、予め定められたルールに従ってフォルダを構成し、そのフォルダにユニークな名称を付与することが好ましい。例えば、図１０に示すように、画像データの格納場所を示すフォルダ（PS_Roll）の下位の階層にメディア８毎、機器毎、フィルム毎の画像データの格納場所を示すフォルダ（ROYYMMDDyyy_XXXXXXAABxxx）を作成し、各々の要素を、YYMMDD：書き込み年月日を特定する数字、yyy：日毎のシーケンシャル番号、XXXXXX：ランダムなＩＤ番号、AA：メーカーコード（00〜ZZ）、B：ソフトウェア、機器の商品カテゴリー（0〜Z）、xxx：シーケンシャル番号などとしてもよい。
【００４１】
次に、上記記録装置１で作成された記録媒体９に記録された画像データを、コンピュータ機器１０に付属されている任意の記憶手段（ここではコンピュータ機器１０のハードディスク）にバックアップする手順について、図９のフローチャート図を参照して説明する。
【００４２】
まず、ステップＳ２０１で、コンピュータ機器１０を起動するとＯＳがロードし、ステップＳ２０２で、記録媒体９をコンピュータ機器１０の記録媒体装填部１４に装填すると、ステップＳ２０３で、コンピュータ機器１０のＣＰＵは記録媒体９の所定の領域にアクセスして、該所定の領域に特定の識別情報が記録されているかを判断する。そして、特定の識別情報が記録されている場合は、ステップＳ２０４で、記録媒体９に記録されているバックアッププログラムに含まれるメニュープログラムが自動的に起動し、図１３（ａ）に示すようなメニュー画面２３を表示手段１２に表示させる。
【００４３】
そして、ステップＳ２０５で、メニュー画面２３の中からバックアッププログラムの実行を選択すると、バックアッププログラムが起動するが、その際、記録媒体９に記録されているバックアッププログラムを起動してもよいし、記録媒体９に記録されているインストールプログラムによってバックアッププログラムがコンピュータ機器１０に予めインストールされている場合は、そのバックアッププログラムを起動してもよいし、更に、インストールの際にバックアッププログラムがコンピュータ機器１０に常駐するようにインストールされている場合は、常駐しているバックアッププログラムを動作させてもよく、コンピュータ機器１０に予めインストールされているバックアッププログラムを用いる場合は、記録媒体９に記録されているバックアッププログラムを用いる場合に比べてプログラムを速く起動することができるため、バックアップの操作性を向上させることができ、コンピュータ機器１０に常駐しているバックアッププログラムを用いる場合は、プログラムを直ちに動作させることができるため、更にバックアップの操作性を向上させることができる。
【００４４】
そこで、ステップＳ２０６で、ＯＳはバックアッププログラムがコンピュータ機器１０に常駐しているかを判断し、常駐している場合はステップＳ２１０で常駐しているバックアッププログラムを動作させる。また、バックアッププログラムが常駐していない場合は、ステップＳ２０７で、ＯＳはバックアッププログラムがコンピュータ機器１０に既にインストールされているかを判断し、インストール済みの場合は、ステップＳ２１１で、インストールされているバックアッププログラムを起動し、インストールされていない場合は、ステップＳ２０８で、記録媒体９に予め記録されている自動実行定義ファイルに従って、記録媒体９に記録されているバックアッププログラムを起動する。そして、いずれかのバックアッププログラムを用いて、記録媒体９に記録されている画像データをコンピュータ機器１０のハードディスクなどに記録する。
【００４５】
なお、バックアッププログラムを用いて画像データのバックアップを行う際に、バックアップする画像を表示させるか、また、インストールプログラムによってバックアッププログラムをインストールする際にバックアッププログラムを常駐させるかなどを選択できるようにしてもよく、その場合は、メニュー画面２３でバックアッププログラムの設定を選択したら、図１３（ｂ）に示すような設定画面２４が表示されるようにしてもよい。
【００４６】
例えば、設定画面２４で「バックアップ時の画像を表示する」をチェックしておくと、バックアップの際に、図１４に示すような画像表示画面２５が表示される。この画像表示画面２５には、例えば、画像データの縮小画像（サムネイル画像）を一覧表示するアルバム表示欄２７と、画像データを用いた処理を選択する作業メニュー欄２８とが表示され、必要に応じて、マウスやキーボード、タッチパネルなどの操作手段１３を用いて所望の画像データを選択すると、バックアッププログラムは、表示された画像（又はその中から選択された画像）の基となる画像データをコンピュータ機器１０のハードディスクなどに記録する。また、必要に応じて、記録された画像データを特定する情報や該画像データの記録場所を特定する情報などをデータベースとして所定のファイル（例えば、図１０のinfo.txt）に記録する。
【００４７】
なお、コンピュータ機器１０のハードディスクにおける画像データの記録構造も任意であるが、記録媒体９から読み取った画像データの管理を容易にするために、図１１に示すように記録媒体９の記録構造を維持して画像データ群を記録することが好ましい。また、複数の記録媒体９の画像データをバックアップする場合にこれらの画像データを管理しやすくするために、PS_Rollフォルダの上位の階層に移住してきた画像データの格納場所を示すフォルダ（PSYYMMDDyyy_XXXXXXAAB：YYMMDD、yyy、XXXXXX、AA、Bの意味は上記と同様）などを作成してもよい。
【００４８】
なお、上記手順では、記録媒体９を装填すると、メニュー画面２３が表示されて、その中からバックアップを選択した場合にバックアップが実行される構成としたが、記録媒体９を記録媒体装填部１４に装填すると、自動的にバックアッププログラムが起動して画像データをバックアップする構成としてもよい。
【００４９】
このように、本実施例では、記録装置１で作成される記録媒体９には、管理対象となる画像データと共に、該画像データをバックアップするためのバックアッププログラムと、必要に応じて、バックアッププログラムをインストールするためのインストールプログラムとが記録されているため、ユーザは記録媒体９を装填するのみで、画像データをコンピュータ機器１０のハードディスクなどにバックアップすることができ、画像データを簡単かつ確実に管理することができる。
【００５０】
なお、上記各実施例では、画像データを管理する場合について記載したが、本発明は上記実施例に限定されるものではなく、音楽データやコンテンツなどの他の種類のデータを管理する場合についても同様に適用することができる。
【図面の簡単な説明】
【００５１】
【図１】本発明の一実施例に係る記録装置及びコンピュータ機器の構成を模式的に示す図である。
【図２】本発明の一実施例に係る記録装置の他の構成を示す図である。
【図３】本発明の一実施例に係る記録装置の他の構成を示す図である。
【図４】本発明の一実施例に係る記録装置の他の構成を示す図である。
【図５】本発明の一実施例に係る記録装置の他の構成を示す図である。
【図６】本発明の一実施例に係る記録媒体の論理構成を示す図である。
【図７】本発明の一実施例に係るコンピュータ機器のハードディスクの論理構成を示す図である。
【図８】本発明の一実施例に係る記録装置を用いた記録媒体の作成手順を示すフローチャート図である。
【図９】本発明の一実施例に係る画像データのバックアップ手順を示すフローチャート図である。
【図１０】本発明の一実施例の記録媒体におけるデータの記録構造を示す図である。
【図１１】本発明の一実施例のコンピュータ機器のハードディスクにおけるデータの記録構造を示す図である。
【図１２】本発明の一実施例の記録媒体におけるデータの記録領域を模式的に示す図である。
【図１３】本発明の一実施例に係るコンピュータ機器の表示手段に表示される画面構成例を示す図である。
【図１４】本発明の一実施例に係るコンピュータ機器の表示手段に表示される画面構成例を示す図である。
【符号の説明】
【００５２】
１  記録装置
２  メディア装填部
３  機器接続部
４  記録媒体装填部
５  表示手段
６  操作手段
７  デジタルカメラ
７ａ  カメラ付き携帯電話機
８  メディア
９  記録媒体
９ａ  ＩＤ情報記録手段
１０  コンピュータ機器
１１  本体
１２  表示手段
１３  操作手段
１４  記録媒体装填部
１５  通信ネットワーク
１６  サーバ
２３  メニュー画面
２４  設定画面
２５  画像表示画面
２７  アルバム表示欄
２８  作業メニュー欄
【図１】
2005332379.tif 000003
【図２】
2005332379.tif 000004
【図３】
2005332379.tif 000005
【図４】
2005332379.tif 000006
【図５】
2005332379.tif 000007
【図６】
2005332379.tif 000008
【図７】
2005332379.tif 000009
【図８】
2005332379.tif 000010
【図９】
2005332379.tif 000011
【図１０】
2005332379.tif 000012
【図１１】
2005332379.tif 000013
【図１２】
2005332379.tif 000014
【図１３】
2005332379.tif 000015
【図１４】
2005332379.tif 000016